(57)【特許請求の範囲】
【請求項１】
移動局から送信され複数のアンテナで受信したマルチパスの信号をレイク合成する合成手段と、
前記レイク合成に使用されたパスを示す選択結果情報に基づいてアンテナ障害を検出するアンテナ障害検出手段と、
前記アンテナ障害の検出状況に応じてセルの総受信電力値を計算し、計算したセルの総受信電力値が目標総受信電力値と一致するように電力制御情報を出力する移動局制御手段と、
前記電力制御情報を前記移動局に送信して、この移動局の送信電力制御を行う送信手段とを備えることを特徴とする無線ダイバーシティ受信装置。
【請求項２】
請求項１記載の無線ダイバーシティ受信装置において、
前記移動局制御手段は、前記アンテナ障害が検出された場合に、障害が発生したアンテナの総受信電力値を除いて前記セルの総受信電力値を計算することを特徴とする無線ダイバーシティ受信装置。
【請求項３】
請求項１記載の無線ダイバーシティ受信装置において、
前記移動局制御手段は、前記アンテナ障害が検出された場合に、障害が発生していないアンテナの総受信電力値に掛ける重み付け係数を障害が発生したアンテナの総受信電力値に掛ける重み付け係数よりも大きくして、重み付け後の総受信電力値の平均値を前記セルの総受信電力値とすることを特徴とする無線ダイバーシティ受信装置。
【請求項４】
請求項３記載の無線ダイバーシティ受信装置において、
前記移動局制御手段は、前記アンテナ障害が継続している場合に、障害が発生していないアンテナの総受信電力値に掛ける重み付け係数を漸次大きくし、前記アンテナ障害が一定時間以上継続した場合には、障害が発生したアンテナの総受信電力値を除いて前記セルの総受信電力値を計算することを特徴とする無線ダイバーシティ受信装置。
【請求項５】
請求項１乃至４のいずれか１項に記載の無線ダイバーシティ受信装置において、
前記合成手段は、前記アンテナ障害が検出された場合に、障害が発生したアンテナの受信信号を、前記レイク合成を行う際のアンテナ受信信号の選択から除くことを特徴とする無線ダイバーシティ受信装置。
【請求項６】
請求項１乃至４のいずれか１項に記載の無線ダイバーシティ受信装置において、
前記合成手段は、前記アンテナ障害が検出された場合に、障害が発生していないアンテナの受信信号に掛ける重み付け係数を障害が発生したアンテナの受信信号に掛ける重み付け係数よりも大きくして、前記レイク合成を行うことを特徴とする無線ダイバーシティ受信装置。
【請求項７】
請求項６記載の無線ダイバーシティ受信装置において、
前記合成手段は、前記アンテナ障害が継続している場合に、障害が発生していないアンテナの受信信号に掛ける重み付け係数を漸次大きくし、前記アンテナ障害が一定時間以上継続した場合には、障害が発生したアンテナの受信信号を、前記レイク合成を行う際のアンテナ受信信号の選択から除くことを特徴とする無線ダイバーシティ受信装置。
【請求項８】
請求項１乃至７のいずれか１項に記載の無線ダイバーシティ受信装置において、
前記アンテナ障害検出手段は、前記選択結果情報を積算し、積算した全ての選択結果情報の数に対して一方のアンテナを到着点とするパスを含む選択結果情報の数の割合が所定の閾値を超える場合は、他方のアンテナに障害が発生していると判定し、この判定後に、前記割合が前記閾値以下となった場合は、前記他方のアンテナの障害が復旧したと判定することを特徴とする無線ダイバーシティ受信装置。
【請求項９】
請求項１乃至７のいずれか１項に記載の無線ダイバーシティ受信装置において、
前記アンテナ障害検出手段は、前記選択結果情報に含まれるパスをアンテナ毎に積算し、一方のアンテナを到着点とするパスの数に対して他方のアンテナを到着点とするパスの数の比率が所定の閾値を超える場合は、前記一方のアンテナに障害が発生していると判定し、この判定後に、前記比率が前記閾値以下となった場合は、前記一方のアンテナの障害が復旧したと判定することを特徴とする無線ダイバーシティ受信装置。
【請求項１０】
移動局から送信され複数のアンテナで受信したマルチパスの信号をレイク合成する合成ステップと、
前記レイク合成に使用されたパスを示す選択結果情報に基づいてアンテナ障害を検出するアンテナ障害検出ステップと、
前記アンテナ障害が検出された場合に、障害が発生したアンテナの総受信電力値を除いてセルの総受信電力値を計算し、計算したセルの総受信電力値が目標総受信電力値と一致するように電力制御情報を出力する総受信電力値計算ステップと、
前記電力制御情報を前記移動局に送信して、この移動局の送信電力制御を行う送信ステップとを備えることを特徴とする無線ダイバーシティ受信方法。
【発明の詳細な説明】
【技術分野】
【０００１】
本発明は、例えば移動通信システムにおいてダイバーシティ受信機能を備えた基地局装置などの無線ダイバーシティ受信装置に関し、符号分割多元接続（ＣＤＭＡ：Code Division Multiple Access）方式における上り高速化技術であるＨＳＵＰＡ（High Speed Uplink Packet Access）において、移動局毎の送信電力を制御することにより無線ダイバーシティ受信装置における上りの総受信電力を制御し伝送速度を高速化する技術に関するものである。
【背景技術】
【０００２】
移動通信システムの基地局装置においては、基地局とアンテナの間の監視対象外の箇所での障害発生時に長期的な統計データにより通信サービスが低下したことが発覚するため、障害を検出するまでに時間がかかり、ＭＴＢＦ（Mean Time Between Failure ）が劣化することがあった。
【０００３】
これに対して、特許文献１には、複数のアンテナを有する受信装置において、アンテナの受信信号から障害に関する情報を得る技術が開示されている。
また、特許文献２には、アンテナ受信状態に応じてレイク合成の対象とするアンテナを切り換える技術が開示されている。
【０００４】
【特許文献１】特表２００２−５３５９１５号公報
【特許文献２】特許第３０９５０６５号公報
【発明の開示】
【発明が解決しようとする課題】
【０００５】
しかしながら、特許文献１，２に開示された技術では、アンテナ障害を検出できたとしても、アンテナ障害発生時には正しい総受信電力測定ができないため、基地局装置で行う移動局電力制御が正しく動作しないという問題点があった。
【０００６】
アンテナ障害により、低い総受信電力値が計算された場合には、移動局送信電力制御により過剰な電力送信を要求してしまい、干渉電力が大きくなるため、基地局装置での受信特性が劣化する結果となる。また、高い総受信電力値が計算された場合には、移動局送信電力制御により過小な電力送信要求しか行わずに、セルとしての有効な電力リソース利用ができない結果、セル内でのスループットが低い結果となる。
【０００７】
本発明は、上記課題を解決するためになされたもので、アンテナ障害をアンテナ受信信号から検出し、アンテナ障害がセルの総受信電力値の計算結果に与える影響を抑制することにより、アンテナ障害発生時にも有効な移動局送信電力制御を可能にすることを目的とする。
【課題を解決するための手段】
【０００８】
本発明の無線ダイバーシティ受信装置は、移動局から送信され複数のアンテナで受信したマルチパスの信号をレイク合成する合成手段と、前記レイク合成に使用されたパスを示す選択結果情報に基づいてアンテナ障害を検出するアンテナ障害検出手段と、前記アンテナ障害の検出状況に応じてセルの総受信電力値を計算し、計算したセルの総受信電力値が目標総受信電力値と一致するように電力制御情報を出力する移動局制御手段と、前記電力制御情報を前記移動局に送信して、この移動局の送信電力制御を行う送信手段とを備えるものである。
【０００９】
また、本発明の無線ダイバーシティ受信装置の１構成例において、前記移動局制御手段は、前記アンテナ障害が検出された場合に、障害が発生したアンテナの総受信電力値を除いて前記セルの総受信電力値を計算するようにしたものである。
また、本発明の無線ダイバーシティ受信装置の１構成例において、前記移動局制御手段は、前記アンテナ障害が検出された場合に、障害が発生していないアンテナの総受信電力値に掛ける重み付け係数を障害が発生したアンテナの総受信電力値に掛ける重み付け係数よりも大きくして、重み付け後の総受信電力値の平均値を前記セルの総受信電力値とするようにしたものである。
さらに、本発明の無線ダイバーシティ受信装置の１構成例において、前記移動局制御手段は、前記アンテナ障害が継続している場合に、障害が発生していないアンテナの総受信電力値に掛ける重み付け係数を漸次大きくし、前記アンテナ障害が一定時間以上継続した場合には、障害が発生したアンテナの総受信電力値を除いて前記セルの総受信電力値を計算するようにしたものである。
【００１０】
また、本発明の無線ダイバーシティ受信装置の１構成例において、前記合成手段は、前記アンテナ障害が検出された場合に、障害が発生したアンテナの受信信号を、前記レイク合成を行う際のアンテナ受信信号の選択から除くようにしたものである。
また、本発明の無線ダイバーシティ受信装置の１構成例において、前記合成手段は、前記アンテナ障害が検出された場合に、障害が発生していないアンテナの受信信号に掛ける重み付け係数を障害が発生したアンテナの受信信号に掛ける重み付け係数よりも大きくして、前記レイク合成を行うようにしたものである。
さらに、本発明の無線ダイバーシティ受信装置の１構成例において、前記合成手段は、前記アンテナ障害が継続している場合に、障害が発生していないアンテナの受信信号に掛ける重み付け係数を漸次大きくし、前記アンテナ障害が一定時間以上継続した場合には、障害が発生したアンテナの受信信号を、前記レイク合成を行う際のアンテナ受信信号の選択から除くようにしたものである。
【００１１】
また、本発明の無線ダイバーシティ受信装置の１構成例において、前記アンテナ障害検出手段は、前記選択結果情報を積算し、積算した全ての選択結果情報の数に対して一方のアンテナを到着点とするパスを含む選択結果情報の数の割合が所定の閾値を超える場合は、他方のアンテナに障害が発生していると判定し、この判定後に、前記割合が前記閾値以下となった場合は、前記他方のアンテナの障害が復旧したと判定するものである。
また、本発明の無線ダイバーシティ受信装置の１構成例において、前記アンテナ障害検出手段は、前記選択結果情報に含まれるパスをアンテナ毎に積算し、一方のアンテナを到着点とするパスの数に対して他方のアンテナを到着点とするパスの数の比率が所定の閾値を超える場合は、前記一方のアンテナに障害が発生していると判定し、この判定後に、前記比率が前記閾値以下となった場合は、前記一方のアンテナの障害が復旧したと判定するものである。
【００１２】
また、本発明の無線ダイバーシティ受信方法は、移動局から送信され複数のアンテナで受信したマルチパスの信号をレイク合成する合成ステップと、前記レイク合成に使用されたパスを示す選択結果情報に基づいてアンテナ障害を検出するアンテナ障害検出ステップと、前記アンテナ障害が検出された場合に、障害が発生したアンテナの総受信電力値を除いてセルの総受信電力値を計算し、計算したセルの総受信電力値が目標総受信電力値と一致するように電力制御情報を出力する総受信電力値計算ステップと、前記電力制御情報を前記移動局に送信して、この移動局の送信電力制御を行う送信ステップとを備えるものである。
【発明の効果】
【００１３】
本発明によれば、レイク合成に使用されたパスを示す選択結果情報に基づいてアンテナ障害を検出し、アンテナ障害の検出状況に応じてセルの総受信電力値を計算するようにしたので、アンテナ障害発生時にも有効な移動局送信電力制御を行うことができる。また、本発明では、アンテナ受信信号の劣化の影響を受けることなく移動局送信電力制御が可能となるので、アンテナ障害発生時でも有効にセルの電力リソース制御を行い、ユーザ及びセルのスループットの最適化を行うことができる。
【発明を実施するための最良の形態】
【００１４】
本発明は、例えば移動通信システムにおいてダイバーシティ受信機能を備えた基地局装置などの無線ダイバーシティ受信装置に関し、符号分割多元接続（ＣＤＭＡ）方式における上り高速化技術であるＨＳＵＰＡにおいて、移動局毎の送信電力を制御することにより無線ダイバーシティ受信装置における上りの総受信電力を制御し伝送速度を高速化する技術に関する。
【００１５】
基地局装置では、アンテナ位置の異なる２系統またはそれ以上の多系統のアンテナの受信信号を受信してそれぞれのアンテナ受信信号における総受信電力を測定し、アンテナごとの測定結果を用いてセル単位での総受信電力を算出する。しかし、基地局装置とアンテナの間の監視対象外の箇所でアンテナ受信信号に関する障害が発生した場合、総受信電力の測定値が不正となり、セル単位で計算する総受信電力の精度が劣化するため、アンテナ障害検出対策が必要となる。また、レイク合成復号時の利得の劣化を防ぐ対策も必要となる。
【００１６】
そこで、本発明の実施例では、アンテナ受信信号からアンテナ障害を検出し、総受信電力測定時やアンテナ受信信号の合成時に、障害が発生したアンテナの総受信電力値や受信信号を使用するかどうかの選択を可能にすることを特徴としている。
【００１７】
［第１実施例］
以下、本発明を実施するための最良の形態について、Ｗ−ＣＤＭＡ標準技術を前提に説明する。Ｗ−ＣＤＭＡの従来技術と同じ点については、適宜説明を簡略にする。なお、この実施例は、本願発明の技術的範囲を制限するものではない。
【００１８】
図１は本発明の第１実施例に係る移動通信システムの構成を示すブロック図である。移動局１０１は、携帯電話機等の無線通信端末である。アンテナ１０２，１０３は、同一の基地局装置１０６の通信範囲である１つのセル内に設置された２系統のアンテナである。エリア１０４，１０５は、それぞれアンテナ１０２，１０３がカバーする無線区域である。
【００１９】
図１において、移動局１０１は、エリア１０４，１０５の重複領域に位置している。移動局１０１と基地局装置１０６との間では、目標受信品質と実際の受信品質との比較結果に基づいてそれぞれ対向装置（移動局１０１の対向装置は基地局装置１０６、基地局装置１０６の対向装置は移動局１０１）に対して、電力制御情報を送信し、対向装置の送信電力制御を行っている。
【００２０】
基地局制御装置１０７は、基地局装置１０６を制御する装置であり、基地局装置１０６と通信接続されている。基地局制御装置１０７は、移動局１０１の呼び出し、ハンドオーバ等に際してパスの設定・削除等の制御を行う。
【００２１】
交換局１０８は、図１の移動通信システムによって構成される移動網と例えば公衆電話網などの他の網（不図示）との回線交換を行う装置であり、基地局制御装置１０７を介して基地局装置１０６と接続される。基地局装置１０６および交換局１０８を介して移動局１０１と他の網の通信相手とを接続することにより、移動局１０１と通信相手との間で通信が行われる。
【００２２】
図２は基地局装置１０６の構成を示すブロック図である。ここでは、２系統のアンテナ受信系を持ち、アンテナ間をレイク合成受信する基地局装置１０６の受信に関して説明する。
無線ダイバーシティ受信装置である基地局装置１０６は、送受信部２０２，２０３と、合成部２０６と、アンテナ障害検出部２０７と、移動局制御部２０８とを有する。送受信部２０２，２０３は、後述する電力制御情報を移動局１０１に送信する送信手段を構成している。
【００２３】
アンテナ１０２，１０３が移動局１０１から受信した信号は、それぞれ送受信部２０２，２０３へ入力される。送受信部２０２，２０３は、それぞれアンテナ１０２，１０３が受信したアンテナ受信信号をベースバンド帯の信号に変換する。また、送受信部２０２，２０３は、それぞれアンテナ１０２，１０３が受信した信号の総受信電力値を計算し、計算した総受信電力値を移動局制御部２０８に通知する。さらに、送受信部２０２，２０３は、移動局制御部２０８から通知された電力制御情報をそれぞれアンテナ１０２，１０３から移動局１０１に送信する。
【００２４】
合成部２０６は、送受信部２０２，２０３によってベースバンド帯に変換された信号を合成し、合成結果の信号を基地局制御装置１０７に出力する。また、合成部２０６は、この合成のために使用したパスを示す選択結果情報をアンテナ障害検出部２０７に出力する。
【００２５】
アンテナ障害検出部２０７は、合成部２０６から出力された選択結果情報に基づきアンテナ障害を検出し、移動局制御部２０８にアンテナ障害情報を通知する。また、アンテナ障害検出部２０７は、合成部２０６に対してもアンテナ障害情報を通知する。
【００２６】
移動局制御部２０８は、アンテナ障害が発生していないと認識した場合、送受信部２０２，２０３から通知された総受信電力値を基にセルの総受信電力値を計算する。また、移動局制御部２０８は、更新されたアンテナ障害情報により、アンテナ障害が発生したと認識した場合、障害が発生したアンテナの総受信電力値を除いてセルの総受信電力値を計算する。そして、移動局制御部２０８は、計算したセルの総受信電力値が目標総受信電力値と一致するように電力制御情報を送受信部２０２，２０３に出力する。
【００２７】
移動局制御部２０８から出力された電力制御情報は、送受信部２０２，２０３からアンテナ１０２，１０３を介して移動局１０１に送信される。こうして、セルの総受信電力値が目標総受信電力値に近づくように移動局１０１の送信電力制御が行われる。
【００２８】
以上詳細に実施例の構成を述べたが、図１の基地局制御装置１０７と交換局１０８は、当業者にとってよく知られており、また本発明とは直接関係しないので、その詳細な構成は省略する。  
【００２９】
次に、図２の合成部２０６の動作を、図３に示すレイク合成時の合成処理イメージと図４に示すフローチャートを使用して説明する。図３では横軸が時間、縦軸がアンテナ受信信号の信号強度を示している。実線で示すアンテナ受信信号Ｓ１０２はアンテナ１０２で受信した信号、点線で示すアンテナ受信信号Ｓ１０３はアンテナ１０３で信号した信号である。図４は、レイク合成時のパスの選択結果情報を用いてアンテナ障害を検出するアルゴリズムのフローチャートを示している。
【００３０】
アンテナ１０２，１０３で受信されるアンテナ受信信号には、電波の伝搬途中のマルチパスによって受信信号強度が変動するフェージング現象が発生し、信号強度の高い部分に時間差が生じる。
合成部２０６は、この時間差が発生したマルチパスでもレイク合成が可能となるように複数のパスを監視している。ここでは、例として合成対象のパスを５つとし、合成対象のパスは受信信号強度が高い順番に選択されることとする。
【００３１】
図３の例では、丸印が付与されているアンテナ受信信号が、合成部２０６によって合成対象として選択されたパスの信号である。図３の例では、アンテナ１０２を到着点とするパスのアンテナ受信信号のみがレイク合成の対象として選択されている。
また、状況によっては、アンテナ１０３を到着点とするパスのアンテナ受信信号のみがレイク合成の対象として選択される。さらに、アンテナ１０２を到着点とするパスのアンテナ受信信号とアンテナ１０３を到着点とするパスのアンテナ受信信号の両方からレイク合成の対象が選択されることもある。
【００３２】
本実施例では、レイク合成のために使用したパスを示す情報を選択結果情報と呼ぶこととする。
合成部２０６は、選択したパスのアンテナ受信信号を合成して、合成結果の信号を基地局制御装置１０７に出力する。
【００３３】
選択結果情報の出力からアンテナ障害を検出するまでの合成部２０６およびアンテナ障害検出部２０７の動作を図４のフローチャートを用いて説明する。
合成部２０６は、レイク合成のために使用したパスを示す選択結果情報をアンテナ障害検出部２０７に出力する（ステップＳ４０１）。
【００３４】
アンテナ障害検出部２０７は、選択結果情報をセル毎及びサンプリング周期Ｔｓ毎に積算する（ステップＳ４０２）。ここで、選択結果情報の積算とは、アンテナ１０２を到着点とするパスを含む選択結果情報、アンテナ１０３を到着点とするパスを含む選択結果情報、アンテナ１０２を到着点とするパスとアンテナ１０３を到着点とするパスの両方を含む選択結果情報の３種類に分類して、選択結果情報を種類毎に数えることを言う。
そして、アンテナ障害検出部２０７は、一定時間Ｔｄ（Ｔｄ＞Ｔｓ）の選択結果情報の積算結果から、アンテナ障害を検出する（ステップＳ４０３）。
【００３５】
アンテナ障害検出部２０７は、積算した選択結果情報の中に、アンテナ１０２を到着点とするパスのみを含む選択結果情報と、アンテナ１０２を到着点とするパスとアンテナ１０３を到着点とするパスの両方を含む選択結果情報とが存在し、アンテナ１０３を到着点とするパスのみを含む選択結果情報が存在しない場合において、積算した全ての選択結果情報の数Ｎallに対してアンテナ１０２を到着点とするパスを含む選択結果情報の数Ｎ102の割合Ｎ102／Ｎallが所定の閾値（ｘ％）を超える場合は、アンテナ１０３に障害が発生していると判定する（ステップＳ４０３）。
【００３６】
また、アンテナ障害検出部２０７は、積算した選択結果情報の中に、アンテナ１０３を到着点とするパスのみを含む選択結果情報と、アンテナ１０２を到着点とするパスとアンテナ１０３を到着点とするパスの両方を含む選択結果情報とが存在し、アンテナ１０２を到着点とするパスのみを含む選択結果情報が存在しない場合において、積算した全ての選択結果情報の数Ｎallに対してアンテナ１０３を到着点とするパスを含む選択結果情報の数Ｎ103の割合Ｎ103／Ｎallが所定の閾値（ｘ％）を超える場合は、アンテナ１０２に障害が発生していると判定する（ステップＳ４０３）。
【００３７】
アンテナ障害検出部２０７は、ステップＳ４０３においてアンテナ障害を検出しなかった場合は、ステップＳ４０１に戻り、ステップＳ４０１〜Ｓ４０３の処理を一定時間Ｔｄ毎に繰り返す。また、アンテナ障害検出部２０７は、ステップＳ４０３においてアンテナ障害を検出した場合は、アンテナ障害情報を更新して移動局制御部２０８に通知し（Ｓ４０４）、ステップＳ４０１に戻る。このとき、更新後のアンテナ障害情報は、アンテナ１０２又は１０３に障害が発生していることを示している。
【００３８】
また、アンテナ障害検出部２０７は、アンテナ１０３に障害が発生していると判定した後に、ステップＳ４０１〜Ｓ４０３の処理を繰り返しているときに、一定時間Ｔｄで積算した全ての選択結果情報の数Ｎallに対してアンテナ１０２を到着点とするパスを含む選択結果情報の数Ｎ102の割合Ｎ102／Ｎallが閾値（ｘ％）以下となった場合は、アンテナ１０３の障害が復旧したと判定する（ステップＳ４０３）。
【００３９】
同様に、アンテナ障害検出部２０７は、アンテナ１０２に障害が発生していると判定した後に、ステップＳ４０１〜Ｓ４０３の処理を繰り返しているときに、一定時間Ｔｄで積算した全ての選択結果情報の数Ｎallに対してアンテナ１０３を到着点とするパスを含む選択結果情報の数Ｎ103の割合Ｎ103／Ｎallが閾値（ｘ％）以下となった場合は、アンテナ１０２の障害が復旧したと判定する（ステップＳ４０３）。
【００４０】
アンテナ障害検出部２０７は、ステップＳ４０３においてアンテナ障害の復旧を検出した場合は、アンテナ障害情報を更新して移動局制御部２０８に通知し（Ｓ４０４）、ステップＳ４０１に戻る。このとき、更新後のアンテナ障害情報は、アンテナ１０２又は１０３の障害が復旧したことを示している。
【００４１】
以上のようにして、ステップＳ４０１〜Ｓ４０４の処理が一定時間Ｔｄ毎に繰り返される。アンテナ障害検出判定では、特定の区間ごとに単純移動平均または個々の情報に重み付けを行う加重移動平均などが考えられる。移動平均に関しては一般的によく知られているため、その詳細な説明は省略する。
【００４２】
移動局制御部２０８は、セル毎の総受信電力値を計算する。このとき、移動局制御部２０８は、当該セルに関係するアンテナ毎の総受信電力値（送受信部２０２，２０３から通知される総受信電力値）を平均して当該セルの総受信電力値を計算するが、アンテナ障害検出部２０７から通知されるアンテナ障害情報が更新された場合には、アンテナ障害情報を考慮して総受信電力値を計算する。
【００４３】
すなわち、移動局制御部２０８は、更新されたアンテナ障害情報により、アンテナ１０２又は１０３に障害が発生したと認識した場合、障害が発生したアンテナ１０２又は１０３の総受信電力値を除いてセルの総受信電力値を計算する。例えばセルに関係するアンテナが１０２，１０３の２本の状態で、アンテナ１０２に障害が発生した場合には、アンテナ１０３の総受信電力値がそのままセルの総受信電力値となる。
【００４４】
また、移動局制御部２０８は、更新されたアンテナ障害情報により、アンテナ１０２又は１０３の障害が復旧したと認識した場合、障害が復旧したアンテナ１０２又は１０３の総受信電力値を含めてセルの総受信電力値を計算する。例えばアンテナ１０２の障害が復旧した場合には、アンテナ１０２の総受信電力値とアンテナ１０３の総受信電力値との平均値をセルの総受信電力値とする。
【００４５】
以上説明したように、本実施例においては、以下に記載するような効果を奏する。
第１の効果は、基地局装置にて基地局装置とアンテナ間のハードウェアにて障害が検出できない場合に、アンテナ受信信号のパスの信号強度のみからアンテナ障害を検出できることである。
第２の効果は、基地局装置にてアンテナ受信信号のパスの信号強度からアンテナ障害を検出できるので、アンテナ受信信号の劣化の影響を受けることなく、移動局の送信電力制御が可能となることである。
【００４６】
第３の効果は、アンテナ受信信号の劣化の影響を受けることなく移動局の送信電力制御が可能となるので、アンテナ障害発生時でも有効にセルの電力リソース制御を行い、ユーザ及びセルのスループットの最適化を行うことができることである。
第４の効果は、本実施例によりアンテナ障害を検出すれば、通信サービス低下時間を短縮化しＭＴＢＦ（Mean Time Between Failure ）の向上が可能となることである。受信系の障害を検出できないために通信サービスが低下するような現象が発生しうるが、長期的な統計データにより通信サービスが低下したことが発覚するような障害に対しても、本実施例によれば、アンテナ障害を短時間で検出できるので、通信サービス低下時間を短縮化することができる。
【００４７】
［第２実施例］
次に、本発明の第２実施例について説明する。図５は本発明の第２実施例に係る基地局装置１０６の構成を示すブロック図であり、図２と同様の構成には同一の符号を付してある。本実施例は、第１実施例をより具体的に説明するものであり、基地局装置１０６は、送受信部２０２，２０３と、復調部２０４，２０５と、合成部２０６と、アンテナ障害検出部２０７と、移動局制御部２０８とを有する。
【００４８】
復調部２０４，２０５は、それぞれ送受信部２０２，２０３によってベースバンド帯に変換された信号に対して復調処理を行い、復調した信号を合成部２０６に出力する。
合成部２０６は、復調部２０４，２０５から出力された信号を合成し、合成結果の信号を基地局制御装置１０７に出力する。また、合成部２０６は、この合成のために使用したパスを示す選択結果情報をアンテナ障害検出部２０７に出力する。その他の構成は第１実施例と同じなので、説明は省略する。
【００４９】
［第３実施例］
次に、本発明の第３実施例について説明する。本実施例においても、移動通信システムの構成は第１実施例、第２実施例と同様であるので、図１、図２、図５の符号を用いて説明する。
本実施例において、基地局装置１０６のアンテナ障害検出部２０７は、合成部２０６に対してもアンテナ障害情報を通知する。
【００５０】
合成部２０６は、更新されたアンテナ障害情報により、アンテナ障害が発生したと認識した場合、障害が発生したアンテナの受信信号を、レイク合成を行う際のアンテナ受信信号の選択から除外する。
障害が発生したアンテナの受信信号をレイク合成の対象としてしまうと、レイク合成による利得を得られず劣化が発生するが、本実施例によれば、レイク合成結果が劣化することを抑制することができる。
【００５１】
［第４実施例］
次に、本発明の第４実施例について説明する。第１実施例、第２実施例では、アンテナ１０２，１０３の両方からレイク合成した場合はアンテナ障害ではない可能性がある。そこで、本実施例では、両アンテナからレイク合成した結果を除く。
【００５２】
すなわち、基地局装置１０６のアンテナ障害検出部２０７は、積算した選択結果情報の中にアンテナ１０３を到着点とするパスのみを含む選択結果情報が存在しない場合において、積算した全ての選択結果情報の数Ｎallに対してアンテナ１０２を到着点とするパスのみを含む選択結果情報の数Ｎ’102の割合Ｎ’102／Ｎallが所定の閾値（ｙ％）を超える場合は、アンテナ１０３に障害が発生していると判定する（ステップＳ４０３）。
【００５３】
また、アンテナ障害検出部２０７は、積算した選択結果情報の中にアンテナ１０２を到着点とするパスのみを含む選択結果情報が存在しない場合において、積算した全ての選択結果情報の数Ｎallに対してアンテナ１０３を到着点とするパスのみを含む選択結果情報の数Ｎ’103の割合Ｎ’103／Ｎallが所定の閾値（ｙ％）を超える場合は、アンテナ１０２に障害が発生していると判定する（ステップＳ４０３）。
【００５４】
さらに、アンテナ障害検出部２０７は、アンテナ１０３に障害が発生していると判定した後に、ステップＳ４０１〜Ｓ４０３の処理を繰り返しているときに、積算した全ての選択結果情報の数Ｎallに対してアンテナ１０２を到着点とするパスのみを含む選択結果情報の数Ｎ’102の割合Ｎ’102／Ｎallが閾値（ｙ％）以下となった場合は、アンテナ１０３の障害が復旧したと判定する（ステップＳ４０３）。
【００５５】
また、アンテナ障害検出部２０７は、アンテナ１０２に障害が発生していると判定した後に、ステップＳ４０１〜Ｓ４０３の処理を繰り返しているときに、積算した全ての選択結果情報の数Ｎallに対してアンテナ１０３を到着点とするパスのみを含む選択結果情報の数Ｎ’103の割合Ｎ’103／Ｎallが閾値（ｙ％）以下となった場合は、アンテナ１０２の障害が復旧したと判定する（ステップＳ４０３）。
こうして、本実施例では、アンテナ障害検出の確実性を増すことができる。
【００５６】
［第５実施例］
次に、本発明の第５実施例について説明する。本実施例は、図４のステップＳ４０３で行う判定方法に関して、レイク合成に使用したアンテナ毎のパス数を積算し、アンテナ１０２と１０３の比率が所定の閾値（ｚ％）を超えたときにアンテナ障害とするものである。
【００５７】
より、具体的には、基地局装置１０６のアンテナ障害検出部２０７は、選択結果情報に含まれるパスをアンテナ毎に積算し（ステップＳ４０２）、アンテナ１０２を到着点とするパスの数ＮＰ102に対してアンテナ１０３を到着点とするパスの数ＮＰ103の比率ＮＰ103／ＮＰ102が閾値（Ｚ％）を超える場合は、アンテナ１０２に障害が発生していると判定する（ステップＳ４０３）。また、アンテナ障害検出部２０７は、アンテナ１０３を到着点とするパスの数ＮＰ103に対してアンテナ１０２を到着点とするパスの数ＮＰ102の比率ＮＰ102／ＮＰ103が閾値（Ｚ％）を超える場合は、アンテナ１０３に障害が発生していると判定する（ステップＳ４０３）。
【００５８】
さらに、アンテナ障害検出部２０７は、アンテナ１０２に障害が発生していると判定した後に、比率ＮＰ103／ＮＰ102が閾値（Ｚ％）以下となった場合は、アンテナ１０２の障害が復旧したと判定する（ステップＳ４０３）。また、アンテナ障害検出部２０７は、アンテナ１０３に障害が発生していると判定した後に、比率ＮＰ102／ＮＰ103が閾値（Ｚ％）以下となった場合は、アンテナ１０３の障害が復旧したと判定する（ステップＳ４０３）。
【００５９】
［第６実施例］
次に、本発明の第６実施例について説明する。第１実施例、第２実施例では、障害が発生したアンテナの総受信電力値を除いてセルの総受信電力値を計算し、第３実施例では、障害が発生したアンテナの受信信号を、レイク合成を行う際のアンテナ受信信号の選択から除外している。
【００６０】
これに対して、基地局装置１０６のアンテナ障害検出部２０７がアンテナ障害を検出した場合に、移動局制御部２０８は、障害が発生していないアンテナの総受信電力値に掛ける重み付け係数と障害が発生したアンテナの総受信電力値に掛ける重み付け係数とを変えて、障害が発生していないアンテナの総受信電力値に掛ける重み付け係数の方を大きくし、障害が発生してないアンテナの重み付け後の総受信電力値と障害が発生したアンテナの重み付け後の総受信電力値との平均値をセルの総受信電力値としてもよい。これにより、アンテナ障害が総受信電力値の計算結果に与える影響を少なくすることができる。
【００６１】
また、移動局制御部２０８は、アンテナ障害が継続している場合、障害が発生していないアンテナの総受信電力値に掛ける重み付け係数の方を徐々に大きくしていき、アンテナ障害が一定時間以上継続した場合には、障害が発生したアンテナの総受信電力値をセルの総受信電力値の計算から除くようにしてもよい。
【００６２】
また、合成部２０６は、アンテナ障害検出部２０７がアンテナ障害を検出した場合、第１実施例と同様にパスを選択した後、障害が発生していないアンテナの受信信号に掛ける重み付け係数と障害が発生したアンテナの受信信号に掛ける重み付け係数とを変えて、障害が発生していないアンテナの受信信号に掛ける重み付け係数の方を大きくした上で、アンテナ受信信号を合成するようにしてもよい。これにより、アンテナ障害がレイク合成結果に与える影響を少なくすることができる。
【００６３】
また、合成部２０６は、アンテナ障害が継続している場合、障害が発生していないアンテナの受信信号に掛ける重み付け係数の方を徐々に大きくしていき、アンテナ障害が一定時間以上継続した場合には、障害が発生したアンテナの受信信号を、レイク合成を行う際のアンテナ受信信号の選択から除くようにしてもよい。
【産業上の利用可能性】
【００６４】
本発明は、ダイバーシティ受信機能を備えた基地局装置などの無線ダイバーシティ受信装置に適用することができる。
【図面の簡単な説明】
【００６５】
【図１】本発明の第１実施例に係る移動通信システムの構成を示すブロック図である。
【図２】本発明の第１実施例に係る移動通信システムの基地局装置の構成を示すブロック図である。
【図３】本発明の第１実施例に係る基地局装置の合成部におけるレイク合成動作を示す図である。
【図４】本発明の第１実施例に係る基地局装置の合成部とアンテナ障害検出部の動作を示すフローチャートである。
【図５】本発明の第２実施例に係る移動通信システムの基地局装置の構成を示すブロック図である。
【符号の説明】
【００６６】
１０１…移動局、１０２，１０３…アンテナ、１０４，１０５…エリア、１０６…基地局装置、１０７…基地局制御装置、１０８…交換局、２０２，２０３…送受信部、２０４，２０５…復調部、２０６…合成部、２０７…アンテナ障害検出部、２０８…移動局制御部。
【図１】
0004877197.tif 000002
【図２】
0004877197.tif 000003
【図３】
0004877197.tif 000004
【図４】
0004877197.tif 000005
【図５】
0004877197.tif 000006